(57)【要約】  【課題】  マイクロコンピュータの占有時間と、キャラクタ信号あるいはパターン信号を記憶する記憶回路の記憶容量を最低限にし、キャラクタ信号あるいはパターン信号の重畳を実現することができるオンスクリーン制御装置を提供する。  【解決手段】  キャラクタ・パターン信号Ｓ１を送信するマイクロコンピュータ１１と、前記マイクロコンピュータ１１より送信されるキャラクタ・パターン信号Ｓ１を蓄積する記憶回路１２と、前記記憶回路１２へ書き込み制御信号Ｓ２、及び読み出し制御信号Ｓ３を送信する制御信号発生回路１３と、前記記憶回路１２から読み出されたキャラクタ・パターン信号Ｓ４を映像信号に重畳する重畳回路１４と、任意のタイミングで複数回に分割して前記キャラクタ・パターン信号Ｓ４を読み出すよう、前記制御信号発生回路１３からの読み出し制御信号Ｓ３の出力を制御する読み出し制御回路１５を備えるようにした。【選択図】  図１
2006162977.tif 000002
【特許請求の範囲】
【請求項１】
映像信号にキャラクタ信号あるいはパターン信号を混合し、モニタ上に前記キャラクタ信号あるいはパターン信号を前記映像信号に重畳して表示させるオンスクリーン制御装置において、
前記キャラクタ信号あるいはパターン信号を送信するマイクロコンピュータと、
前記マイクロコンピュータより送信されるキャラクタ信号あるいはパターン信号を蓄積する記憶回路と、
前記記憶回路へ書き込み制御信号、及び読み出し制御信号を送信する制御信号発生回路と、
前記記憶回路から読み出されたキャラクタ信号あるいはパターン信号を前記映像信号に重畳する重畳回路と、
任意のタイミングで複数回に分割して前記キャラクタ信号あるいはパターン信号を読み出すよう、前記制御信号発生回路からの読み出し制御信号の出力を制御する読み出し制御回路を備えた、
ことを特徴とするオンスクリーン制御装置。
【請求項２】
映像信号にキャラクタ信号あるいはパターン信号を混合し、モニタ上に前記キャラクタ信号あるいはパターン信号を前記映像信号に重畳して表示させるオンスクリーン制御装置において、
前記映像信号から垂直ブランキング信号を検出する垂直ブランキング検出回路と、
前記キャラクタ信号あるいはパターン信号を送信するマイクロコンピュータと、
前記マイクロコンピュータより送信されるキャラクタ信号あるいはパターン信号を蓄積する記憶回路と、
前記記憶回路へ書き込み制御信号、及び読み出し制御信号を送信する制御信号発生回路と、
前記記憶回路から読み出されたキャラクタ信号あるいはパターン信号を前記映像信号に重畳する重畳回路と、
前記垂直ブランキング検出回路が出力する垂直ブランキング信号が到達するごとに読み出しタイミングを可変させて前記キャラクタ信号あるいはパターン信号を読み出すよう、前記制御信号発生回路からの読み出し制御信号の出力を制御する読み出し制御回路を備えた、
ことを特徴とするオンスクリーン制御装置。
【請求項３】
映像信号にキャラクタ信号あるいはパターン信号を混合し、モニタ上に前記キャラクタ信号あるいはパターン信号を前記映像信号に重畳して表示させるオンスクリーン制御装置において、
前記映像信号から垂直ブランキング信号を検出する垂直ブランキング検出回路と、
間引きパルス信号を出力する間引きパルス発生回路と、
前記キャラクタ信号あるいはパターン信号を送信するマイクロコンピュータと、
前記マイクロコンピュータより送信されるキャラクタ信号あるいはパターン信号を蓄積する記憶回路と、
前記記憶回路へ書き込み制御信号、及び読み出し制御信号を送信する制御信号発生回路と、
前記記憶回路から読み出されたキャラクタ信号あるいはパターン信号を前記映像信号に重畳する重畳回路と、
前記垂直ブランキング検出回路が出力する垂直ブランキング信号が到達するごとに前記間引きパルス発生回路が出力する間引きパルス信号に応じて前記キャラクタ信号あるいはパターン信号を読み出すよう、前記制御信号発生回路からの読み出し制御信号の出力を制御する読み出し制御回路を備えた、
ことを特徴とするオンスクリーン制御装置。
【発明の詳細な説明】
【技術分野】
【０００１】
本発明は、映像信号に文字や記号などのキャラクタ信号あるいはパターン信号を混合し、モニタ上にキャラクタ信号あるいはパターン信号を映像信号に重畳して表示させるオンスクリーン制御装置に関する。
【背景技術】
【０００２】
映像信号に文字、記号などのキャラクタ信号あるいはパターン信号を重畳する場合、マイクロコンピュータより送信されるキャラクタ信号あるいはパターン信号を一旦記憶回路に記憶し、所望のタイミングで記憶回路より読み出すことにより、任意の位置にキャラクタ信号あるいはパターン信号が重畳できる。
【０００３】
図７は、従来のオンスクリーン制御装置のブロック図である。
図７において、１はオンスクリーン制御装置であり、１１はオンスクリーン制御装置１全体に対して各種の制御命令を出すマイクロコンピュータであり、１２はマイクロコンピュータ１１より送信されたキャラクタ・パターン信号Ｓ１を記憶する記憶回路であり、１３はマイクロコンピュータ１１より送信されたキャラクタ・パターン信号Ｓ１に同期した書き込み制御信号Ｓ２を出力し、読み出し制御信号Ｓ３を記憶回路１２に出力する制御信号発生回路であり、１４は記憶回路１２から読み出されたキャラクタ・パターン信号Ｓ１と本来の映像信号を入力して重畳する重畳回路であり、２はモニタである。
【０００４】
図８は、従来のオンスクリーン制御装置におけるオンスクリーン表示をした画面と各部の信号レベルを示す図である。
制御信号発生回路１３は、図８に示すようなマイクロコンピュータ１１が出力するキャラクタ・パターン信号Ｓ１に同期した書き込み制御信号Ｓ２を出力し、また、キャラクタ・パターン信号を表示したいタイミングで読み出し制御信号Ｓ３を出力している。
【０００５】
記憶回路１２は、制御信号発生回路１３から出力される書き込み制御信号Ｓ２のタイミングでキャラクタ・パターン信号を書き込み、読み出し制御信号Ｓ３のタイミングでキャラクタ・パターン信号Ｓ４を読み出す。記憶回路１２から読み出されたキャラクタ・パターン信号Ｓ４は重畳回路１４にて映像信号に重畳され、モニタ２に表示される。
【０００６】
従来、キャラクタ・パターン信号の重畳では、マイクロコンピュータ１１は、画面に表示したいイメージ通りのキャラクタ・パターン信号Ｓ１を送信し、記憶回路１２は、マイクロコンピュータ１１から送信されたキャラクタ・パターン信号Ｓ１をすべて記憶し、読み出しを行っていた。
【特許文献１】特開平７−１６２７５０号公報（第２−３頁、第１図）
【発明の開示】
【発明が解決しようとする課題】
【０００７】
従来のオンスクリーン制御装置では、キャラクタ信号あるいはパターン信号を表示したい領域が画面の両端にある場合、キャラクタ信号あるいはパターン信号の表示を行わない画面中央部の信号も０レベルのキャラクタ信号あるいはパターン信号として、マイクロコンピュータより送信し、記憶回路へ記憶、読出しを行う必要があった。
【０００８】
また、キャラクタ信号あるいはパターン信号のスクロールやフェードイン、フェードアウトを実現する場合では、フィールドごとに画面に表示したいイメージ通りキャラクタ信号あるいはパターン信号をマイクロコンピュータから送信し、記憶回路へ記憶、読出しを行う必要があった。
【０００９】
このため、記憶回路の必要記憶容量が大きくなるとともに、キャラクタ信号あるいはパターン信号の送信に必要なマイクロコンピュータの占有時間が長くなるという問題があった。
【００１０】
そこで、本発明は、上記のような従来の問題点を解決するためになされたもので、キャラクタ信号あるいはパターン信号の送信に必要なマイクロコンピュータの占有時間と、キャラクタ信号あるいはパターン信号を記憶する記憶回路の容量を最低限にして、キャラクタ信号あるいはパターン信号を映像信号に重畳して表示することができるオンスクリーン制御装置を得ることを目的とする。
【課題を解決するための手段】
【００１１】
本発明の請求項１によるオンスクリーン制御装置は、映像信号にキャラクタ信号あるいはパターン信号を混合し、モニタ上に前記キャラクタ信号あるいはパターン信号を前記映像信号に重畳して表示させるオンスクリーン制御装置において、前記キャラクタ信号あるいはパターン信号を送信するマイクロコンピュータと、前記マイクロコンピュータより送信されるキャラクタ信号あるいはパターン信号を蓄積する記憶回路と、前記記憶回路へ書き込み制御信号、及び読み出し制御信号を送信する制御信号発生回路と、前記記憶回路から読み出されたキャラクタ信号あるいはパターン信号を前記映像信号に重畳する重畳回路と、任意のタイミングで複数回に分割して前記キャラクタ信号あるいはパターン信号を読み出すよう、前記制御信号発生回路からの読み出し制御信号の出力を制御する読み出し制御回路を備えたことを特徴とする。
【００１２】
この構成によれば、マイクロコンピュータから送信されるデータ及び記憶回路の記憶データは表示したい領域部のみを読み出すことで、キャラクタ信号あるいはパターン信号を画面の両端などの複数、かつ任意の領域にわたって重畳できる。
【００１３】
本発明の請求項２によるオンスクリーン制御装置は、映像信号にキャラクタ信号あるいはパターン信号を混合し、モニタ上に前記キャラクタ信号あるいはパターン信号を前記映像信号に重畳して表示させるオンスクリーン制御装置において、前記映像信号から垂直ブランキング信号を検出する垂直ブランキング検出回路と、前記キャラクタ信号あるいはパターン信号を送信するマイクロコンピュータと、前記マイクロコンピュータより送信されるキャラクタ信号あるいはパターン信号を蓄積する記憶回路と、前記記憶回路へ書き込み制御信号、及び読み出し制御信号を送信する制御信号発生回路と、前記記憶回路から読み出されたキャラクタ信号あるいはパターン信号を前記映像信号に重畳する重畳回路と、前記垂直ブランキング検出回路が出力する垂直ブランキング信号が到達するごとに読み出しタイミングを可変させて前記キャラクタ信号あるいはパターン信号を読み出すよう、前記制御信号発生回路からの読み出し制御信号の出力を制御する読み出し制御回路を備えたことを特徴とする。
【００１４】
この構成によれば、任意のタイミングで一回マイクロコンピュータより送信され、記憶回路に記憶されたキャラクタ信号あるいはパターン信号を記憶回路より複数回にわたって、かつ読み出しのタイミングを垂直ブランキング信号が到達するごとに変更しながら読み出すことにより、キャラクタ信号あるいはパターン信号のスクロールが実現できる。
【００１５】
本発明の請求項３によるオンスクリーン制御装置は、映像信号にキャラクタ信号あるいはパターン信号を混合し、モニタ上に前記キャラクタ信号あるいはパターン信号を前記映像信号に重畳して表示させるオンスクリーン制御装置において、前記映像信号から垂直ブランキング信号を検出する垂直ブランキング検出回路と、間引きパルス信号を出力する間引きパルス発生回路と、前記キャラクタ信号あるいはパターン信号を送信するマイクロコンピュータと、前記マイクロコンピュータより送信されるキャラクタ信号あるいはパターン信号を蓄積する記憶回路と、前記記憶回路へ書き込み制御信号、及び読み出し制御信号を送信する制御信号発生回路と、前記記憶回路から読み出されたキャラクタ信号あるいはパターン信号を前記映像信号に重畳する重畳回路と、前記垂直ブランキング検出回路が出力する垂直ブランキング信号が到達するごとに前記間引きパルス発生回路が出力する間引きパルス信号に応じて前記キャラクタ信号あるいはパターン信号を読み出すよう、前記制御信号発生回路からの読み出し制御信号の出力を制御する読み出し制御回路を備えたことを特徴とする。
【００１６】
この構成によれば、任意のタイミングで一回マイクロコンピュータより送信され、記憶回路に記憶されたキャラクタ信号あるいはパターン信号を記憶回路より複数回にわたって、かつ読み出しデータの間引きをフィールドごとに行いながら読み出すことにより、キャラクタ信号あるいはパターン信号のフェードイン、フェードアウトを実現することができるものである。
【発明の効果】
【００１７】
本発明は、読み出し制御回路、垂直ブランキング回路、間引きパルス発生回路からの信号に基づいて、制御信号発生回路からの読み出し制御信号の出力を制御することにより、記憶回路からの記憶データを複数回に分割した読み出し、読み出しタイミングのフィールドごとの変更、フィールドごとの間引きながらの読み出しを行うようにしたので、キャラクタ信号あるいはパターン信号の送信に必要なマイクロコンピュータの占有時間と、キャラクタ信号あるいはパターン信号を記憶する記憶回路の容量とを最低限としながら、キャラクタ信号あるいはパターン信号の重畳を実現する効果がある。
【発明を実施するための最良の形態】
【００１８】
以下、本発明のオンスクリーン制御装置について図面を参照しながら説明する。
【００１９】
（実施の形態１）
図１は、本発明の実施の形態１によるオンスクリーン制御装置のブロック図である。
【００２０】
図１において、１はオンスクリーン制御装置であり、１１はオンスクリーン制御装置１全体に対して各種の制御命令を出すマイクロコンピュータであり、１２はマイクロコンピュータ１１より送信されたキャラクタ・パターン信号Ｓ１を記憶する記憶回路であり、１３はマイクロコンピュータ１１より送信されたキャラクタ・パターン信号Ｓ１に同期した書き込み制御信号Ｓ２を出力し、また、任意のタイミングで読み出し制御信号Ｓ３を記憶回路１２に出力できる制御信号発生回路であり、１４は記憶回路１２から読み出されたキャラクタ・パターン信号と本来の映像信号を入力して重畳する重畳回路であり、２はモニタである。
【００２１】
マイクロコンピュータ１１は、オンスクリーン制御装置１全体に対して、映像信号の方式やコントラスト、明るさ、色合い等の各種の制御命令を出力しており、出力する制御命令信号の一つとして、キャラクタ・パターン信号Ｓ１を出力している。
【００２２】
記憶回路１２は、制御信号発生回路１３から出力される書き込み制御信号Ｓ２のタイミングでキャラクタ・パターン信号Ｓ１を書き込み、読み出し制御信号Ｓ３のタイミングでキャラクタ・パターン信号Ｓ４を読み出す。記憶回路１２から読み出されたキャラクタ・パターン信号Ｓ４は重畳回路１４にて映像信号に重畳され、モニタ２に表示される。
【００２３】
図２は、本発明の実施の形態１によるオンスクリーン制御装置におけるオンスクリーン表示をした画面と各部の信号レベルを示す図である。
【００２４】
本実施の形態１では、読み出し制御信号Ｓ３を図２に示すように任意のタイミングで複数回に分割して出力できるよう、制御信号発生回路１３を制御する読み出し制御回路１５を設けた。
【００２５】
図２において、マイクロコンピュータ１１は、キャラクタ信号あるいはパターン信号を表示したい領域が画面の両端にある場合でも、キャラクタ信号あるいはパターン信号の表示を行わない画面中央部の０レベルの信号を送信する必要はなく、表示したい領域のみのキャラクタ・パターン信号Ｓ１’を送信するものであり、書き込み制御信号Ｓ２’は表示したい領域のみのキャラクタ・パターン信号Ｓ１’に同期したタイミングで出力される。
【００２６】
制御信号発生回路１３は、読み出し制御回路１５により、読み出し制御信号Ｓ３’を任意のタイミングで複数回分割して出力することができるため、キャラクタ信号あるいはパターン信号を表示したい画面右の領域で一度読み出し制御信号Ｓ３’を出力し、さらに画面左の領域でもう一度読み出し制御信号Ｓ３’を出力する。
【００２７】
キャラクタ・パターン信号Ｓ４’は、前記読み出し制御信号Ｓ３’に基づいて、キャラクタ・パターン信号Ｓ４’を表示したい画面の領域のみの信号が記憶回路１２から読み出され、重畳回路１４で映像信号に重畳してモニタ２に表示される。
【００２８】
以上のように本実施の形態１によれば、任意のタイミングで複数回に分割して記憶回路１２からキャラクタ・パターン信号Ｓ４を読み出すよう、制御信号発生回路１３からの読み出し制御信号Ｓ３の出力を制御する読み出し制御回路１５を備えるようにしたので、キャラクタ信号あるいはパターン信号を送信するマイクロコンピュータの占有時間が短縮され、短縮された時間をマイクロコンピュータは他の各種制御命令を出力する時間として有効に活用することができる。
【００２９】
また、本実施の形態１によれば、記憶回路はキャラクタ信号あるいはパターン信号を表示したい領域についてのみの記憶容量を持てばよく、記憶容量の削減を図ることができる。
【００３０】
（実施の形態２）
図３は、本発明の実施の形態２によるオンスクリーン制御装置のブロック図である。
図３において、１０１はオンスクリーン制御装置である。
【００３１】
１１１はオンスクリーン制御装置１０１全体に対して各種の制御命令を出すマイクロコンピュータであり、１１２はマイクロコンピュータ１１１より送信されたキャラクタ・パターン信号Ｓ１１を記憶する記憶回路であり、１１５は映像信号より垂直ブランキング信号Ｓ１５を検出する垂直ブランキング検出回路であり、１１３はマイクロコンピュータ１１１より送信されたキャラクタ・パターン信号Ｓ１１に同期した書き込み制御信号Ｓ１２と垂直ブランキング検出回路１１５が出力する垂直ブランキング信号Ｓ１５が到達するごとに読み出しタイミングを変更して記憶回路１１２に読み出し制御信号Ｓ１３を出力できる制御信号発生回路であり、１１４は記憶回路１１２から読み出されたキャラクタ・パターン信号Ｓ１４と本来の映像信号を入力して重畳する重畳回路であり、１０２はモニタである。
【００３２】
図４は、本発明の実施の形態２によるオンスクリーン制御装置におけるオンスクリーン表示をした画面と各部の信号レベルを示す図である。
本実施の形態２では、制御信号発生回路１１３において垂直ブランキング検出回路１１５が出力する垂直ブランキング信号Ｓ１５が到達するごとに読み出し制御信号Ｓ１３を図４に示すように変更できる読み出し制御回路１１６を設けた。
【００３３】
図４において、マイクロコンピュータ１１１は、フィールド１においてのみ、キャラクタ・パターン信号Ｓ１１を送信し、毎フィールド送信する必要はない。フィールド１において、マイクロコンピュータ１１１はキャラクタ・パターン信号Ｓ１１を記憶回路１１２に送信し、キャラクタ・パターン信号Ｓ１１に同期した書き込み制御信号Ｓ１２が制御信号発生回路１１３から記憶回路１１２に出力される。制御信号発生回路１１３は、垂直ブランキング検出回路１１５からの垂直ブランキング信号Ｓ１５が到達すると、読み出し制御回路１１６による制御に基づき、読み出し制御信号Ｓ１３を記憶回路１１２に出力する。キャラクタ・パターン信号Ｓ１４は、前記読み出し制御信号Ｓ１３に基づいて記憶回路１１２から読み出され、重畳回路１１４で映像信号に重畳してモニタ１０２に表示される。
【００３４】
次に、フィールド２において、制御信号発生回路１１３は、垂直ブランキング検出回路１１５から垂直ブランキング信号Ｓ１５が入力すると、該垂直ブランキング信号Ｓ１５に基づき読み出し制御信号Ｓ１３を読み出すタイミングを変更し、読み出し制御回路１１６による制御に基づき前記読み出し制御信号Ｓ１３を出力する。キャラクタ・パターン信号Ｓ１４は、前記読み出し制御信号Ｓ１３に基づいて記憶回路１１２から読み出され、重畳回路１１４で映像信号に重畳してモニタ１０２に表示される。ここで、制御信号発生回路１１３は、垂直ブランキング信号Ｓ１５に基づき、読み出し制御信号Ｓ１３をフィールド１の場合と異なるタイミングで読み出しているので、キャラクタ・パターン信号Ｓ１４は、フィールド１と異なるタイミングで重畳回路１１４に出力され、フィールド１と異なる画面の領域でモニタ１０２に表示される。
【００３５】
次に、フィールド３において、制御信号発生回路１１３は、垂直ブランキング検出回路１１５から垂直ブランキング信号Ｓ１５が入力すると、該垂直ブランキング信号Ｓ１５に基づき読み出し制御信号Ｓ１３を読み出すタイミングを変更し、読み出し制御回路１１６による制御に基づき前記読み出し制御信号Ｓ１３を出力する。キャラクタ・パターン信号Ｓ１４は、前記読み出し制御信号Ｓ１３に基づいて記憶回路１１２から読み出され、重畳回路１１４で映像信号に重畳してモニタ１０２に表示される。ここで、制御信号発生回路１１３は、垂直ブランキング信号Ｓ１５に基づき、読み出し制御信号Ｓ１３をフィールド１、２の場合と異なるタイミングで読み出しているので、キャラクタ・パターン信号Ｓ１４は、フィールド１、２と異なるタイミングで重畳回路１１４に出力され、フィールド１、２と異なる画面の領域でモニタ１０２に表示される。
【００３６】
次に、フィールド４において、制御信号発生回路１１３は、垂直ブランキング検出回路１１５から垂直ブランキング信号Ｓ１５が入力すると、該垂直ブランキング信号Ｓ１５に基づき読み出し制御信号Ｓ１３を読み出すタイミングを変更し、読み出し制御回路１１６による制御に基づき前記読み出し制御信号Ｓ１３を出力する。キャラクタ・パターン信号Ｓ１４は、前記読み出し制御信号Ｓ１３に基づいて記憶回路１１２から読み出され、重畳回路１１４で映像信号に重畳してモニタ１０２に表示される。ここで、制御信号発生回路１１３は、垂直ブランキング信号Ｓ１５に基づき、読み出し制御信号Ｓ１３をフィールド１〜３の場合と異なるタイミングで読み出しているので、キャラクタ・パターン信号Ｓ１４は、フィールド１〜３と異なるタイミングで重畳回路１１４に出力され、フィールド１〜３と異なる画面の領域でモニタ１０２に表示される。
【００３７】
このように、制御信号発生回路１１３は、垂直ブランキング検出回路１１５が出力する垂直ブランキング信号Ｓ１５が到達するごとに、すなわち、フィールド１、２、３、４・・・ごとに読み出し制御回路１１６により読み出し制御を可変させて読み出し制御信号Ｓ１３を出力する。フィールド１において書き込まれたキャラクタ・パターン信号Ｓ１４を、記憶回路１１２からフィールド２、３、４・・・では異なるタイミングで読み出し、重畳回路１１４にて映像信号に重畳することにより、任意のタイミングで一回マイクロコンピュータより送信されたキャラクタ・パターン信号のスクロールを実現することができる。
【００３８】
以上のように本実施の形態２によれば、垂直ブランキング検出回路１１５が出力する垂直ブランキング信号Ｓ１５が到達するごとに読み出しタイミングを可変させて、記憶回路１１２からキャラクタ・パターン信号Ｓ１４を読み出すよう、制御信号発生回路１１３からの読み出し制御信号Ｓ１３の出力を制御する読み出し制御回路１１６を備えるようにしたので、キャラクタ信号あるいはパターン信号のスクロールを実現する場合、キャラクタ信号あるいはパターン信号を送信するマイクロコンピュータの占有時間が短縮され、短縮された時間をマイクロコンピュータは他の各種制御命令を出力する時間として有効に活用することができる。
【００３９】
（実施の形態３）
図５は、本発明の実施の形態３によるオンスクリーン制御装置のブロック図である。
図５において、２０１はオンスクリーン制御装置であり、２１１はオンスクリーン制御装置２０１全体に対して各種の制御命令を出すマイクロコンピュータであり、２１２はマイクロコンピュータ２１１より送信されたキャラクタ・パターン信号Ｓ２１を記憶する記憶回路であり、２１５は映像信号より垂直ブランキング信号Ｓ２５を検出する垂直ブランキング検出回路であり、２１６は間引きパルス信号Ｓ２６を出力する間引きパルス発生回路であり、２１３はマイクロコンピュータ２１１より送信されたキャラクタ・パターン信号Ｓ２１に同期した書き込み制御信号Ｓ２２と垂直ブランキング検出回路２１５が出力する垂直ブランキング信号Ｓ２５が到達するごとに間引きパルス発生回路２１６が出力する間引きパルス信号Ｓ２６に応じて読み出しタイミングを変更して記憶回路２１２に読み出し制御信号Ｓ２３を出力できる制御信号発生回路であり、２１４は記憶回路２１２から読み出されたキャラクタ・パターン信号Ｓ２４と本来の映像信号を入力して重畳する重畳回路であり、２０２はモニタである。
【００４０】
図６は、本発明の実施の形態３によるオンスクリーン制御装置におけるオンスクリーン表示をした画面と各部の信号レベルを示す図である。
本実施の形態３では、制御信号発生回路２１３において垂直ブランキング検出回路２１５が出力する垂直ブランキング信号Ｓ２５が到達するごとに間引きパルス発生回路２１６が出力する間引きパルス信号Ｓ２６に応じて、読み出し制御信号Ｓ２３を図６に示すように変更できる読み出し制御回路２１７を設けた。
【００４１】
図６において、マイクロコンピュータ２１１はフィールド１においてのみ、キャラクタ・パターン信号Ｓ２１を送信し、毎フィールド送信する必要はない。フィールド１において、マイクロコンピュータ２１１はキャラクタ・パターン信号Ｓ２１を記憶回路２１２に送信し、キャラクタ・パターン信号Ｓ２１に同期した書き込み制御信号Ｓ２２が制御信号発生回路２１３から記憶回路２１２に出力される。制御信号発生回路２１３は、垂直ブランキング検出回路２１５からの垂直ブランキング信号Ｓ２５が到達すると、読み出し制御回路２１７による制御に基づき、読み出し制御信号Ｓ２３を記憶回路２１２に出力する。キャラクタ・パターン信号Ｓ２４は、前記読み出し制御信号Ｓ２３に基づいて記憶回路２１２から読み出され、重畳回路２１４で映像信号に重畳してモニタ２０２に表示される。
【００４２】
次に、フィールド２において、垂直ブランキング検出回路２１５から垂直ブランキング信号Ｓ２５が制御信号発生回路２１３に入力すると、間引きパルス発生回路２１６から間引きパルス信号Ｓ２６が制御信号発生回路２１３に出力される。制御信号発生回路２１３は、前記間引きパルス信号Ｓ２６に応じて間引いたタイミングで、読み出し制御回路２１７による制御に基づき読み出し制御信号Ｓ２３を出力する。キャラクタ・パターン信号Ｓ２４は、前記読み出し制御信号Ｓ２３に基づいて記憶回路２１２から読み出され、重畳回路２１４で映像信号に重畳してモニタ２０２に表示される。ここで、制御信号発生回路２１３は、間引きパルス信号Ｓ２６に基づき、読み出し制御信号Ｓ２３を間引いて出力しているので、キャラクタ・パターン信号Ｓ２４は、重畳回路２１４に出力されモニタ２０２に表示される領域の幅がフィールド１よりも小さくなる。
【００４３】
次に、フィールド３において、垂直ブランキング検出回路２１５から垂直ブランキング信号Ｓ２５が制御信号発生回路２１３に入力すると、間引きパルス発生回路２１６から間引きパルス信号Ｓ２６が制御信号発生回路２１３に出力される。制御信号発生回路２１３は、前記間引きパルス信号Ｓ２６に応じて間引いたタイミングで、読み出し制御回路２１７による制御に基づき読み出し制御信号Ｓ２３を出力する。キャラクタ・パターン信号Ｓ２４は、前記読み出し制御信号Ｓ２３に基づいて記憶回路２１２から読み出され、重畳回路２１４で映像信号に重畳してモニタ２０２に表示される。ここで、制御信号発生回路２１３は、間引きパルス信号Ｓ２６に基づき、フィールド２よりもさらに読み出し制御信号Ｓ２３を間引いて出力しているため、キャラクタ・パターン信号Ｓ２４は、重畳回路２１４に出力されモニタ２０２に表示される領域の幅がフィールド２よりも小さくなる。
【００４４】
次に、フィールド４において、垂直ブランキング検出回路２１５から垂直ブランキング信号Ｓ２５が制御信号発生回路２１３に入力すると、間引きパルス発生回路２１６から間引きパルス信号Ｓ２６が制御信号発生回路２１３に出力される。制御信号発生回路２１３は、前記間引きパルス信号Ｓ２６に応じて間引いたタイミングで、読み出し制御回路２１７による制御に基づき読み出し制御信号Ｓ２３を出力する。キャラクタ・パターン信号Ｓ２４は、前記読み出し制御信号Ｓ２３に基づいて記憶回路２１２から読み出され、重畳回路２１４で映像信号に重畳してモニタ２０２に表示される。ここで、制御信号発生回路２１３は、間引きパルス信号Ｓ２６に基づき、フィールド３よりさらに読み出し制御信号Ｓ２３を間引いて出力しているため、キャラクタ・パターン信号Ｓ２４は、重畳回路２１４に出力されモニタ２０２に表示される領域の幅がフィールド３よりも小さくなる。
【００４５】
このように、制御信号発生回路２１３は垂直ブランキング検出回路２１５が出力する垂直ブランキング信号Ｓ２５が到達するごとに、すなわち、フィールド１、２、３、４・・・ごとに、間引きパルス発生回路２１６が出力する間引きパルス信号Ｓ２６に応じて、読み出し制御を間引いて読み出し制御信号Ｓ２３を出力する。フィールド１において書き込まれたキャラクタ・パターン信号を記憶回路２１２からフィールド２、３、４・・・では間引きパルス信号Ｓ２６に応じて間引いたタイミングで読み出し、重畳回路１１４にて映像信号と重畳することにより、任意のタイミングで一回マイクロコンピュータより送信されたキャラクタあるいはパターン信号のフェードイン、フェードアウトを実現することができる。
【００４６】
以上のように本実施の形態３によれば、垂直ブランキング検出回路２１５が出力する垂直ブランキング信号Ｓ２５が到達するごとに間引きパルス発生回路２１６が出力する間引きパルス信号Ｓ２６に応じて記憶回路２１２からキャラクタ・パターン信号Ｓ２４を読み出すよう、前記制御信号発生回路２１３からの読み出し制御信号Ｓ２３の出力を制御する読み出し制御回路２１７を備えるようにしたので、キャラクタあるいはパターン信号のフェードイン、フェードアウトを実現する場合、キャラクタあるいはパターン信号を送信するマイクロコンピュータの占有時間が短縮され、短縮された時間をマイクロコンピュータは他の各種制御命令を出力する時間として有効に活用することができる。
【産業上の利用可能性】
【００４７】
本発明は、画像表示画面上に文字や記号のキャラクタやパターンを表示させるオンスクリーン制御装置に関する。
【図面の簡単な説明】
【００４８】
【図１】本発明の実施の形態１によるオンスクリーン制御装置のブロック図である。
【図２】本発明の実施の形態１によるオンスクリーン制御装置におけるオンスクリーン表示をした画面と各部の信号レベルを示す図である。
【図３】本発明の実施の形態２によるオンスクリーン制御装置のブロック図である。
【図４】本発明の実施の形態２によるオンスクリーン制御装置におけるオンスクリーン表示をした画面と各部の信号レベルを示す図である。
【図５】本発明の実施の形態３によるオンスクリーン制御装置のブロック図である。
【図６】本発明の実施の形態３によるオンスクリーン制御装置におけるオンスクリーン表示をした画面と各部の信号レベルを示す図である。
【図７】従来のオンスクリーン制御装置のブロック図である。
【図８】従来のオンスクリーン制御装置におけるオンスクリーン表示をした画面と各部の信号レベルを示す図である。
【符号の説明】
【００４９】
１、１０１、２０１ オンスクリーン制御装置
２、１０２、２０２  モニタ
１１、１１１、２１１  マイクロコンピュータ
１２、１１２、２１２  記憶回路
１３、１１３、２１３  制御信号発生回路
１４、１１４、２１４  重畳回路
１５、１１６、２１７  読み出し制御回路
１１５、２１５  垂直ブランキング検出回路
２１６  間引きパルス発生回路
【図１】
2006162977.tif 000003
【図２】
2006162977.tif 000004
【図３】
2006162977.tif 000005
【図４】
2006162977.tif 000006
【図５】
2006162977.tif 000007
【図６】
2006162977.tif 000008
【図７】
2006162977.tif 000009
【図８】
2006162977.tif 000010